(57)【要約】      （修正有）【課題】簡単な製造工程及び低コストを可能にした、新型組立部材を有する電気コネクタを提供する。【解決手段】電気コネクタ１００は、二列に設けられる端子セット２００ａ、２００ｃと、端子セットを端子溝３０３に固定するハウジング３００と、端子溝の間に設けられ、且つ中空対接部分の周囲が内側である外側電導性シート溝と、ハウジング左右両側の溝通路に設けられる一対の弾性アームと、外側電導性シート溝に設けられ、両側に弾性の導電端を設置する金属外側電導性シート５０１と、遮蔽アセンブリと、を備える。【選択図】図１７
0003198932.tif 000002
【実用新案登録請求の範囲】
【請求項１】
平行となるよう設けられている複数の端子セットと、
前記端子セットを固定可能な端子溝が形成されているハウジングと、
前記端子溝の間に設けられており、且つ中空対接部分の周囲が内側である外側電導性シート溝と、
前記ハウジングの左右両側の前記端子溝の溝通路に設けられている一対の弾性アームと、
前記外側電導性シート溝に設けられており、両側に弾性の導電端が設置されている金属外側電導性シートと、
遮蔽アセンブリと、を備え、
前記遮蔽アセンブリは、
前記ハウジングを収容する金属ケースと、
対接方向に有する外縁開口部と、前記外縁開口部と接した所に設けられている少なくとも一つの抑制アームと、
前記内側に設けられる抑制接面と、を有することを特徴とする電気コネクタ。
【請求項２】
前記端子セットは、複数の端子を有し、
前記端子は、端子本体から両側に延伸し、前記端子本体の両側に形成されている接触部及び連結部を有し、前記接触部に傾斜面が設けられていることを特徴とする請求項１に記載する電気コネクタ。
【請求項３】
前記ハウジングは、上表面および下表面に、内側電導性シート溝が設置されており、
前記遮蔽アセンブリは、前記内側電導性シート溝に収容可能である一対の金属内側電導性シートを有し、前記抑制アームが前記金属内側電導性シートに設置されていることを特徴とする請求項１に記載する電気コネクタ。
【請求項４】
前記内側電導性シート溝に、前記ハウジングの内縁開口部と隣接する円柱状の第二支持部と、前記内縁開口部から離れている平面状の第一支持部と、が設けられており、前記内側電導性シート溝に段差が形成されていることを特徴とする請求項３に記載の電気コネクタ。
【請求項５】
使用方向に基づいて、対接面に接近する前端面と、前記前端面の反対側に位置する後端面と、前記前端面及び前記後端面の間に位置する中身部と、が定義されており、
前記金属外側電導性シート及び一対の前記金属内側電導性シートが前後に設置されており、
前記金属外側電導性シートは、一対の前記金属内側電導性シートの間において、前記後端面側に位置し、
一対の前記金属内側電導性シートは、前記前端面側に位置し、
前記金属外側電導性シートは前記端子セットの中間に設けられていることを特徴とする請求項３に記載の電気コネクタ。
【請求項６】
前記ハウジングは、連結部材と、対応連結部材と、を有し、
前記連結部材は、前記端子セットの第一端子セットの第一連結部を固定し、前記対応連結部材の片側に設置されており、
前記対応連結部材は、前記端子セットの第二端子セットの第二連結部を固定し、
前記端子セットの前記接触部は前記ハウジングに収容されていることを特徴とする請求項２に記載の電気コネクタ。
【請求項７】
前記ハウジングは複数の係止溝を有し、
前記連結部材は第一係止部を有し、
前記対応連結部材は第二係止部を有し、
前記第一係止部及び前記第二係止部が前記係止溝に係止されていることを特徴とする請求項６に記載の電気コネクタ。
【考案の詳細な説明】
【技術分野】
【０００１】
本考案は、電気コネクタに関し、特に新型の対接方法に関するものである。
【背景技術】
【０００２】
特許文献１には、従来の電気コネクタが開示されている。従来の電気コネクタは、スロットを有する絶縁ベースと、絶縁ベースのスロットに固設されてスロットに近い開放エリアを有し、開放エリアの下方に設けられており前端部と後端部の間に連結し中間部を有する複数コンタクトと、第１の信号差動ぺアと第２の信号差動ぺアと第３の信号差動ぺアとが設けられ、第１の信号差動ぺアと第３の信号差動ぺアはＵＳＢ３．０であり、第２の信号差動ぺアはＵＳＢ２．０であり、第１の信号差動ぺアは第１の信号コンタクトと第２の信号コンタクトを含み、第２の信号コンタクトは第１の信号コンタクトよりに第２の信号差動ぺアに近い、第３の信号差動ぺアは第３の信号コンタクトと第４信号コンタクトを含み、第３信号コンタクトは第４の信号コンタクトよりに第２の信号差動ぺアに近い、第１の信号差動ぺアと第３の信号差動ぺアが第２の信号差動ぺアの両側に設けれ、第１の信号差動ぺアと第３の信号差動ぺアの後端部と第２の信号差動ぺアの後端部の間に少なくとも一つの電源コンタクトと接地コンタクトに離間され、ＵＳＢ２．０信号差動ぺアに一つのＵＳＢ３．０の接地コンタクトを備え、第２の信号コンタクトの前端部は開放エリアの上方に一つの曲り部を含み、曲り部の末端が、第２の信号コンタクトの中間部により第２の信号差動ぺアに近い、第３の信号コンタクトの前端部は開放エリアの上方に一つの曲り部を含み、曲り部の末端が、第３の信号コンタクトの中間部により第２の信号差動ぺアに近い、と互いに離間する電源コンタクトと接地コンタクトとを有するコンタクト配列と、コンタクト配列のそれぞれのコンタクトは、コンタクト配列を有する絶縁ベース外部を被覆される金属ケースと、を備える。
【０００３】
従来の汎用シリアルバス（ＵＳＢ）は、伝送インターフェースの更新により、バス内接点において周波数、伝送速度の速度を向上させ、また旧バージョンの電気コネクタと下位互換を行う際、ＵＳＢのコネクタが高速、高率伝送の時に発生するクロストークの問題を解決するものであった。しかし、今日、より革新的な伝送インターフェースが生まれてきている。それ故、従来の汎用シリアルバス（ＵＳＢ）はもはや新技術に追着かない状態になっている。
【先行技術文献】
【特許文献】
【０００４】
【特許文献１】台湾特許公報Ｉ４２０７４９９号明細書
【考案の概要】
【考案が解決しようとする課題】
【０００５】
本考案の目的は、より簡単な製造工程及びより低いコストを有する電気コネクタを提供することにある。
【課題を解決するための手段】
【０００６】
本考案の電気コネクタは、上下列に設けられる端子セットと、端子セットを端子溝に固定されるハウジングと、端子溝の間に設けられ、且つ中空対接部分の周囲が内側である外側電導性シート溝と、ハウジング左右両側の溝通路に設けられる一対の弾性アームと、外側電導性シート溝に設けられ、両側に弾性の導電端を設置する金属外側電導性シートと、遮蔽アセンブリと、を有する。遮蔽アセンブリは、ハウジングを容設する金属ケースと、対接方向に有する外縁開口部と、外縁開口部と接した所に設けられる少なくとも一つの抑制アームと、内側に設けられる抑制接面と、を備える。
【０００７】
本考案では、端子セットが上下二列で配置し、各端子は端子本体から両側に延伸し、それぞれ両側に構成される接触部及び連結部を含む。接触部に傾斜面が設けられる。
【０００８】
本考案では、ハウジングの上下表面に内側電導性シート溝を設置し、遮蔽アセンブリは、さらに、内側電導性シート溝に収容する一対の金属内側電導性シートを有する。抑制アームが金属内側電導性シートに設置される。
【０００９】
本考案では、内側電導性シート溝にハウジングの内縁開口部と隣接する円柱状の第二支持部と、内縁開口部に離れている平面状の第一支持部と、を設け、内側電導性シート溝に段差が含まれる。
【００１０】
本考案では、電気コネクタが使用方向により対接面に接近する前端面と、前端面の反対側に位置する後端面と、前端面及び後端面の間に位置する中身部と、を有する；金属外側電導性シート及び一対の金属内側電導性シートが前後設置であって、金属外側電導性シートは一対の金属内側電導性シートの間に位置し後端面に近く、一対の金属内側電導性シートは前端面に近く、金属外側電導性シートは端子セットの中間に設けられる。
【００１１】
本考案では、ハウジングは、ハウジングと、連結部材と、対応連結部材と、を有し、連結部材が端子セット中の第一端子セット中の第一連結部を固定し、対応連結部材が端子セット中の第二端子セット中の第二連結部を固定する。連結部材が対応連結部材の片側に設置され、端子セットの接触部がハウジングを容設する。
【００１２】
本考案では、ハウジングが複数の係止溝を有し、連結部材が第一係止部を有し、対応連結部材が第二係止部を有し、第一係止部及び第二係止部が係止溝に係止される。
【００１３】
本考案では、電気コネクタにおける端子セットを端子溝に固定されるはインサート成形によりハウジングに成形し、製造工程としてはより簡単な工程及びより低いコストの利点を有する。なお、本考案の電気コネクタの金属外側電導性シートと一対の金属内側電導性シートに形成する遮蔽アセンブリを有することにより、互いに信号干渉を減少することができる。
【図面の簡単な説明】
【００１４】
【図１】本考案の一実施形態による電気コネクタとケーブルアセンブリを示す模式図である。
【図２】本考案の一実施形態による電気コネクタを示す斜視図である。
【図３】本考案の一実施形態による電気コネクタを示す分解図である。
【図４】本考案の一実施形態による電気コネクタを示す分解図である。
【図５】本考案の一実施形態による電気コネクタのハウジングを示す斜視図である。
【図６】本考案の一実施形態による電気コネクタのハウジングに設置されている他の部材を示す斜視図である。
【図７】本考案の一実施形態による電気コネクタのハウジングを示す背面図である。
【図８】本考案の一実施形態による電気コネクタのハウジングを示す背面図である。
【図９】本考案の一実施形態による電気コネクタの金属外側電導性シートと一対の金属内側電導性シートを示す側面図である。
【図１０】本考案の一実施形態による電気コネクタの金属外側電導性シートと一対の金属内側電導性シートがハウジングに設置されている状態を示す側面図である。
【図１１】本考案の一実施形態による電気コネクタの金属外側電導性シートと一対の金属内側電導性シートがハウジングに設置されている状態を示す側面図である。
【図１２】本考案の一実施形態による電気コネクタの金属外側電導性シートと一対の金属内側電導性シートを示す平面図である。
【図１３】本考案の一実施形態による電気コネクタの金属外側電導性シートと一対の金属内側電導性シートがハウジングに設置されている状態を示す平面図である。
【図１４】本考案の一実施形態による電気コネクタの端子セットと後側座部を示す斜視図である。
【図１５】本考案の一実施形態による電気コネクタの金属外側電導性シートと一対の金属内側電導性シートがハウジングに設置されている状態を示す斜視図である。
【図１６】本考案の一実施形態による電気コネクタの金属外側電導性シートと一対の金属内側電導性シートがハウジングに設置されている状態を示す分解斜視図である。
【図１７】本考案の一実施形態による電気コネクタの金属外側電導性シートと一対の金属内側電導性シートがハウジングに設置されている状態を示す分解斜視図である。
【図１８】本考案の一実施形態による電気コネクタの金属外側電導性シートと一対の金属内側電導性シートがハウジングに設置されている状態を示す背面図である。
【図１９】本考案の一実施形態による電気コネクタと対接コネクタを示す断面図である。
【図２０】本考案の他の実施形態による電気コネクタを示す分解斜視図である。
【図２１】本考案の他の実施形態による電気コネクタを示す分解斜視図である。
【図２２】本考案の他の実施形態による電気コネクタを示す要部斜視図である。
【図２３】本考案の他の実施形態による電気コネクタを示す要部斜視図である。
【図２４】本考案の他の実施形態による電気コネクタを示す要部斜視図である。
【図２５】本考案の他の実施形態による電気コネクタを示す斜視図である。
【図２６】図２４および図２５のＡ−Ａ’線断面図である。
【図２７】図２４および図２５のＢ−Ｂ’線断面図である。
【考案を実施するための形態】
【００１５】
（一実施形態）
以下、電気コネクトを効率よく実現するために、本考案の一実施形態による電気コネクタを説明する。最初に図１に本実施形態の電気コネクタの応用状態を示すもので、電気コネクタ１００及びケーブルアセンブリの９００の実際配置を示す図である。図２は電気コネクタ１００が使用方向により前端面１０１と、後端面１０２と、中身部１０３とを有する。前端面１０１が対接面に近く、後端面１０２が前端面の反対側に位置し、中身部１０３が前端面１０１及び後端面１０２の間に位置する。
【００１６】
詳細を説明する前に、先ず本実施形態の各部品を理解したい。図３と図４では、電気コネクタ１００は、電子データを発送する端子セット２００と、端子セット２００を固定する非導体のハウジング３００とにより構成したものである。ハウジング３００の対接方向の中空部分の周囲は内側３１８である。さらに遮蔽アセンブリ４００を有し、広義的に説明すると、遮蔽アセンブリ４００が金属ケース４０１と、金属外側電導性シート５０１と、一対の金属内側電導性シート５０２、５０３と、を有する。金属ケース４０１がハウジング３００を容設し  、対接方向に外縁開口部４０２を有し、外縁開口部４０２と接した所に少なくとも一つの抑制アーム５１２を設けられ、内側３１８に抑制接面５１４を設けられる。
【００１７】
電気コネクタ１００を構成する時、ハウジング３００が端子セット２００を固定し、固定方法として組み立て式、或いは非導体材料を射出し、端子セット２００を包覆することにより固定する。この二種類の方法がともにある程度ハウジング３００と干渉し端子セット２００を固定する。順番に沿って一対の弾性アーム８０１、８０２及び金属外側電導性シート５０１をハウジング３００内部に固定し、金属内側電導性シート５０２、５０３をハウジング３００の上下に設置し、ハウジング３００の後ろに後側座部３０１を設置する。最後に、各部材を搭載したハウジング３００を外縁開口部４０２により金属ケース４０１に組み合わせる。
【００１８】
図７と図１４でさらに端子及びハウジングとの間の関係を細かく説明する。端子セット２００が上下二列に配置し、各端子が接触部２０１、連結部２０２及び端子本体２０３を含む。端子本体２０３端子の基礎部分が両側に延伸し、それぞれ接触部２０１及び連結部２０２を構成する。接触部２０１が相対コネクタ（図示せず）の端子との接触により電子信号を発送し、且つ傾斜面２０４を設置することにより相対コネクタの舌部（図示せず）を導入させる。端子本体２０３に止退部２０５を設置することによりハウジング３００内部に干渉し固定力を増加させる。端子本体２０３と接触部２０１の間に設けられた弾性部２０６が端子本体２０３から中間基準面に傾斜伸長することでより上下列端子の接触部２０１をより接近させる（上下列端子の端子本体２０３に対する）。連結部２０２が配線基板又はケーブルを接続するために設けられた部品である。接続方法としては現代工芸の合板式または溶接式を参照。図７の第一端子溝３０３の中には端子を収納用に提供し、組み立て式端子では、第一端子溝３０３が深部３０４を有し、これにより斜めの弾性部２０６及び傾斜面２０４を有する接触部２０１を深部３０４に挿入することができる。第一端子溝３０３同士の間に第二端子溝３０５を設置してもよい。これにより上下列端子が共用できる。斜視図は図５を参照。
【００１９】
図５〜図８を参照し、弾性アーム８０１、８０２及びハウジングとの間の関係を細かく説明する。弾性アームは左右二列で配置し、各弾性アームが圧触部８０３と係止部８０４を含む。弾性アーム８０１がハウジング３００の溝通路３０６に通し、一部未開放の部分を通り抜けて弾性アーム溝３０７まで到達する。圧触部８０３が開放の弾性アーム溝３０７の中に位置し、弾性アーム溝３０７の隙箇所が内縁開口部３０２と接する位置は第一壁面３０８であり、係止部８０４が溝通路３０６とハウジング３００の第二壁面３２２に係止する。
【００２０】
図１２と図１５が遮蔽アセンブリ４００の金属外側電導性シート５０１及び一対の金属内側電導性シート５０２、５０３を示す図である。金属外側電導性シート５０１が電気コネクタ１００の内部位置に設置し、相対コネクタ（図示せず）と対接する時、金属外側電導性シート５０１が相対コネクタの前部に対し遮蔽効果を発揮し、金属内側電導性シート５０２、５０３が相対コネクタの後部（舌部の内側）に対し遮蔽効果を発揮する。金属外側電導性シート５０１主体の両側には弾性の導電端５０４（好適な形態で設置しているが、これにより環状構成を限定するものではない。）を設置し、導電端５０４が環状本体５０５と、第一接触端５０６と、第二接触端５０７と、を含む。環状本体５０５の両側から第一接触端５０６及び第二接触端５０７を延伸し、延伸した箇所に湾曲５０８を設置してもよい。金属外側電導性シート５０１主体には金型位置決め用孔５０９が設置されており、且つハウジング３００と干渉する孔として開口５１０が保留されている。
【００２１】
抑制アーム５１２が金属ケース４０１から形成してもよい。例えばコストを削減するために、外縁開口部４０２から内側３１８に反り返して製作してもよい。十分な予算を持っている場合、独立金属シートから抑制アーム５１２が形成されてもよい。金属内側電導性シート５０２、５０３が少なくとも一つの溝状開口５１１を有し、それぞれの溝状開口５１１が縁処から抑制アーム５１２を形成し、折部５１３と、抑制接面５１４と、突出部５１５と、を有する。抑制接面５１４は相対コネクタの後部（舌部の内側）の上下を挟み抑制を行う。より成形し易くするために、折部５１３が溝状開口５１１から既に成形された金属材料を提供し、抑制接面５１４と連結箇所に掘り孔５１９が設置されている。抑制接面５１４の末端に突出部５１５が設置され、突出部５１５が金属内側電導性シート５０２、５０３の凹穴５１６と対応し、これにより、抑制アーム５１２が抑制により圧力を受ける時、凹穴５１６に突出部５１５を収納することができる。金属内側電導性シート５０２、５０３に設置した位置決めシート５１７がハウジング３００を位置決めする。
【００２２】
図５と図６を参照し、金属外側電導性シート５０１と一対の金属内側電導性シート５０２、５０３及びハウジング３００との間の関係を細かく説明する。図７と図８を参照すると、金属外側電導性シート５０１がハウジング３００の外側電導性シート溝３０９に設置され、外側電導性シート溝３０９が上下列の第一端子溝３０３の間に設けられる。金属内側電導性シート５０２、５０３がハウジング３００の内側電導性シート溝３１０に設置され、内側電導性シート溝３１０がハウジング３００の上下表面に設置され、それぞれに金属内側電導性シートを収納する。内側電導性シート溝３１０に内縁開口部３０２と隣接する円柱状の第二支持部３１２が設置され、反対側（内縁開口部３０２に離れる所）に平面状の第一支持部３１１が設置される。内側電導性シート溝３１０に段差３１３が設置されている。内側電導性シート溝３１０の両側に位置決めシート５１７と位置決めする位置決め溝３１４が設置される。
【００２３】
ハウジング３００に突起ブロック３１５を設置し金属ケース４０１の切口４０３（図３を参照）により係止される。内縁開口部３０２と接した所に開口と同じ形の縁部３１６を設置し、縁部３１６が突出リングであって、これにより設置時に金属ケース４０１を抵止させる（図１１を参照）。第一端子溝３０３が内縁開口部３０２と接した箇所に斜溝３１７を設置し、これにより接触部２０１の傾斜面２０４を上方に接近させる。図５により鏤空の内側電導性シート溝３１０の円柱状の第二支持部３１２の中に、ハウジング３００の内側３１８まで見通すことが可能である。
【００２４】
ハウジング３００の後ろの後側座部３０１に第二接触端５０７が伸出する凹部３１９が設けられ、後側座部３０１に突出部３２０を設置することによりハウジング３００の凹み３２１と係止し位置決められる（図５を参照）。
【００２５】
図９と図１１を参照し、別の角度から金属外側電導性シート５０１と一対の金属内側電導性シート５０２、５０３及びハウジングとの間の関係を細かく説明する。金属外側電導性シート５０１と一対の金属内側電導性シート５０２、５０３が前後に設置されており、金属外側電導性シート５０１が一対の金属内側電導性シート５０２、５０３の間に位置される。図１０では（図５を参照）、金属外側電導性シート５０１がより後端面１０２と接近し、一対の金属内側電導性シート５０２、５０３がより前端面１０１と接近する。端子セット２００が金属外側電導性シート５０１を中間に挟み、ハウジング３００が部材を固定した後、外側電導性シート溝３０９が端子セット２００の間の相対位置に固定される。金属外側電導性シート５０１及び一対の金属内側電導性シート５０２、５０３が電気コネクタ１００を使用する時、伝導状態を構成し、特に端子セット２００（上下接触部２０１、上下端子本体２０３）に電磁波遮蔽効果を発生させる。
【００２６】
金属外側電導性シート５０１の導電端５０４の第一接触端５０６が弾性アーム８０１、８０２の後ろと接触し、第二接触端５０７が金属ケース４０１と接触する。弾性アーム８０１、８０２の圧触部８０３外側が金属ケース４０１と接触（選択的に）することが好ましい。金属内側電導性シート５０２、５０３に設置した導電シート５１８が金属ケース４０１と接触する。電気コネクタ１００を使用する時、金属外側電導性シート５０１、一対の金属内側電導性シート５０２、５０３及び金属ケース４０１が伝導状態となり電磁波遮蔽効果を発生させる（図１３を参照）。
【００２７】
図１６〜図１９が示すように、本実施形態に係る電気コネクタ１００は第一端子セット２００ａと、第二端子セット２００ｃと、金属外側電導性シート５０１を含む。第一端子セット２００ａが複数の第一連結部２０２ａの第一端子２００ｂと、連結部材３３１を有する。第二端子セット２００ｃが複数の第二連結部２０２ｂの第二端子２００ｄと、対応連結部材３３５を有し、連結部材３３１が対応連結部材３３５に連結される。金属外側電導性シート５０１が連結部材３３１と対応連結部材３３５の間に設置され、且つ第一端子２００ｂの一部と第二端子２００ｄの一部の間に延伸される。
【００２８】
第一端子２００ｂを排列し、インサート成形のプロセスにより第一端子セット２００ａを成形させ、即ち加熱溶融した絶縁充填剤で第一連結部２０２ａに射出成型させて連結部材３３１を固化させる。これにより第一端子２００ｂと連結部材３３１が一体成形される。第二端子２００ｄと対応連結部材３３５も同じ技術で一体に成形される。これにより一本一本で第一端子２００ｂ及び第二端子２００ｄをスロットに挿入しなくてもよい。また、第一端子セット２００ａの一体成形及び第二端子セット２００ｃの一体成形が緊密に結合しているためより良い耐震力を備え、従来の構造に比べより良い構造強度を持っている。金属外側電導性シート５０１を設置することにより、第一端子セット２００ａと第二端子セット２００ｃ間のクロストーク問題を遮蔽することができ、より良い伝送効果を有する。
【００２９】
図１７と図１９が示すように、本実施形態に係る電気コネクタ１００は、第一端子２００ｂ及び第二端子２００ｄが上下二列で設置されており、それぞれの第一端子２００ｂが第一接触部２０１ａを有し、それぞれの第二端子２００ｄが第二接触部２０１ｂを有する。第一接触部２０１ａ及び第二接触部２０１ｂが対向設置である。電気コネクタ１００は組合する対接コネクタＳと対接し、対接コネクタＳ内の対応端子Ｔが上下二列で背向に設置されており、これにより第一接触部２０１ａ及び第二接触部２０１ｂが対応端子Ｔに接触し、第一端子２００ｂと第二端子２００ｄで伝送信号を電子基板（図示せず）に伝送させる。
【００３０】
図１７と図１８が示すように、本実施形態に係る電気コネクタ１００は、連結部材３３１が連結凸部３３２と、連結凹部３３３を有し、対応連結部材３３５が対応連結凹部３３６と対応連結凸部３３７を有する。連結凸部３３２が対応連結凹部３３６に接合し、対応連結凸部３３７が連結凹部３３３に接合される。これにより連結部材３３１が対応連結部材３３５に嵌合かつ連結され、それぞれの第一端子２００ｂと第二端子２００ｄの相対位置を固定させる。当然ながら本考案がこれに限定されるものではなく、連結部材３３１及び対応連結部材３３５が接着剤、バックルなどで互いに結合されてもよい。
【００３１】
図１７と図１８が示すように、本の実施形態に係る電気コネクタ１００は、金属外側電導性シート５０１が孔５０９を有し、孔５０９により連結部材３３１及び対応連結部材３３５が穿設される。孔５０９を設置することにより金属外側電導性シート５０１がより安定的に連結部材３３１及び対応連結部材３３５の間に結合されている。
【００３２】
図１７が示すように、本実施形態に係る電気コネクタ１００はさらにハウジング３００を含む。ハウジング３００が複数の端子溝３０３、３０５を有し、端子溝３０３、３０５により第一端子２００ｂ及び第二端子２００ｄが収納され、且つ第一端子２００ｂの間に及び第二端子２００ｄの間の間隔を含む。ハウジング３００が絶縁材質であり、電気コネクタ１００が対接コネクタＳと対接する時、弾性の第一端子２００ｂ及び第二端子２００ｄが対応端子Ｔと接触して彎曲し、端子溝３０３、３０５を設置することにより第一端子２００ｂ及び第二端子２００ｄの彎曲が制限される。それによって、第一端子２００ｂの間及び第二端子２００ｄの間の接触により短絡しなくなる。
【００３３】
図１７が示すように、本実施形態に係る電気コネクタ１００は、ハウジング３００が複数の係止溝３３０を有し、連結部材３３１が第一係止部３３４を有し、対応連結部材３３５が第二係止部３３８を有し、第一係止部３３４及び第二係止部３３８が係止溝３３０に係止される。これにより、第一端子セット２００ａ及び第二端子セット２００ｃとハウジング３００の相対位置を固定させる。当然ながら本考案がこれに限定されるものではない、連結部材３３１及び対応連結部材３３５が接着剤、螺合などで互いにハウジング３００と接合し固定効果に達することができる。
【００３４】
図１７が示すように、本実施形態に係る電気コネクタ１００はさらにハウジング４の外表面に複数の金属内側電導性シート５０２、５０３が設置され、金属内側電導性シート５０２、５０３の遮蔽部がそれぞれ第一端子２００ｂと第二端子を外部の電磁干渉に分けられる。本実施形態では、第一接触部２０１ａ及び第二接触部２０１ｂの上下がそれぞれハウジング３００の外表面に内側電導性シート溝３１０を有し、金属内側電導性シート５０２、５０３が内側電導性シート溝３１０に設置され、これにより金属内側電導性シート５０２、５０３が第一接触部２０１ａ及び第二接触部２０１ｂにより良い電磁波遮蔽効果を有する。
【００３５】
（他の実施形態）
図２０が示すように、本考案の他の実施形態に係る電気コネクタ１００は、ＵＳＢ３．１に準拠したＴｙｐｅ−Ｃ仕様である、その主要構成が座体アセンブリ３２３と、ハウジング３００と、端子セット２００と（第一端子２００ｂ及び第二端子２００ｄを有する）、一対の金属内側電導性シート５０２、５０３と、金属ケース４０１と、を含む。
【００３６】
図２０と図２１が示すように、第一端子２００ｂ及び第二端子２００ｄの端子がそれぞれ接触部２０１と、端子本体２０３と（図２７を参照）、連結部２０２と、を有し、端子本体２０３が接触部２０１と連結部２０２の間に位置される。
【００３７】
図２０と図２１が示すように、座体アセンブリ３２３が上下重置する連結部材３３１と、対応連結部材３３５を有し、連結部材３３１及び対応連結部材３３５が端子セット２００の一部を包覆する。本実施形態では、射出成形の過程を経て、第一端子２００ｂの各端子の端子本体２０３をそれぞれ連結部材３３１にインサート成形させ、また第二端子２００ｄの各端子の端子本体２０３もそれぞれ連結部材３３１にインサート成形させる。これにより座体アセンブリ３２３の連結部材３３１及び対応連結部材３３５が端子の端子本体２０３と互いに接合させる。
【００３８】
図２０と図２２が示すように、座体アセンブリ３２３がさらに導電性金属から製作された金属外側電導性シート５０１を含む。金属外側電導性シート５０１が上下重置する連結部材３３１及び対応連結部材３３５の間に設置し、これは外部信号からの干渉を回避するために使用される。信号としては例えば：静電放電（ＥＳＤ）または電磁干渉（ＥＭＩ）などを回避する。金属外側電導性シート５０１が外側電導性シート主体５０１ａと、相対的に設置する弾性アーム８０１、８０２と、導電端５０４と、を含む。外側電導性シート主体５０１ａ、弾性アーム８０１、８０２及び導電端５０４は一体成形である。弾性アーム８０１、８０２及び導電端５０４が外側電導性シート主体５０１ａの相対両側に位置し、且つ、弾性アーム８０１、８０２の末端がそれぞれ一対の圧触部８０３を形成させる。一対の圧触部８０３が互いに面する両方向に延伸される。
【００３９】
図２０と図２２が示すように、外側電導性シート主体５０１ａが孔５０９を有し、連結部材３３１が一対の連結凹部３３３（図２６に示すように）を有し、対応連結部材３３５が一対の対応連結凸部３３７を有する。組み合わせる時に、金属外側電導性シート５０１の弾性アーム８０１、８０２が端子セット２００の接触部の方向に向いて設置されており、且つ金属外側電導性シート５０１の導電端５０４が端子セット２００の連結部２０２の方向に向いて設置される。対応連結部材３３５の一対の対応連結凸部３３７を金属外側電導性シート５０１の孔５０９に穿設させることにより、一対の対応連結凸部３３７が連結部材３３１の一対の連結凹部３３３に嵌装されている。これにより、上記の一対の連結凹部３３３、一対の対応連結凸部３３７及び金属外側電導性シート５０１の互いによりしっかりした構造が得られる。注意すべくは、組み合わせた後、金属外側電導性シート５０１の外側電導性シート主体５０１ａの長さは端子セット２００の長さより短く、且つ金属外側電導性シート５０１の任意の一部が端子セット２００の任意の一部と接触しない。
【００４０】
図２０と図２２が示すように、ハウジング３００内に中央貫通の収容空間が形成されている。貫通の両側がそれぞれ内縁開口部３０２と後側内縁開口部３０２ａに分けられる。内縁開口部３０２が対接コネクタＳと着接に使用され、後側内縁開口部３０２ａが座体アセンブリ３２３と組み合わせる時に使用するものである。ハウジング３００に内縁開口部３０２と後側内縁開口部３０２ａと隣接し、且つ互いに面する上下内側面にそれぞれ第一端子溝通路３０３ａと第二端子溝通路３０３ｂを形成させ、これによりそれぞれ第一端子２００ｂ及び第二端子２００ｄの接触部２０１を収容させる。第一端子溝通路３０３ａ及び第二端子溝通路３０３ｂが後側内縁開口部３０２ａから内縁開口部３０２の方向に延伸し、且つ内縁開口部３０２と少し離れている位置までで終了させる。ハウジング３００がさらに第一端子溝通路３０３ａと第二端子溝通路３０３ｂを有する相対的な上下両側面に複数の貫通孔３１３ａを形成し、複数の貫通孔３１３ａが第一端子溝通路３０３ａと第二端子溝通路３０３ｂの終止区及び内縁開口部３０２の間に位置する。
【００４１】
図２０と図２３が示すように、連結凹部３３３、対応連結凸部３３７及び金属外側電導性シート５０１が互いに接合した後の座体アセンブリ３２３がさらにハウジング３００と結合される。連結凹部３３３、対応連結凸部３３７の両相対左右側壁及びハウジング３００の後側内縁開口部３０２ａの両左右相対側壁にはそれぞれ互いに係止する一対の第一係止部３３４及び第二係止部３３８を形成する。各係止部３３４、３３８が少なくとも相補的な構造を有する突起区と凹み区を含み、これによりハウジング３００が座体アセンブリ３２３と互いに係合することができる。より明確に記すと、連結凹部３３３と対応連結凸部３３７の両左右側壁にそれぞれ第一係止部３３４、第二係止部３３８を形成し、各係止部３３４、３３８が第一突起区３３４ａと第一凹み区３３４ｂを形成させ、且つハウジング３００の後側内縁開口部３０２ａの両左右側壁の各側壁にもそれぞれ二個上下の係止部を形成させ、各の上下の係止部が第二突起区３３０ａと第二凹み区３３０ｂを含む。第一突起区３３４ａと第二凹み区３３０ｂ及び第一凹み区３３４ｂと第二突起区３３０ａの両方の構造が相補的な構造であり、これにより第一突起区３３４ａと第二突起区３３０ａが相対応する第一凹み区３３４ｂと第二凹み区３３０ｂと互いに係合することができる。上記係合結果は図２３に示している。
【００４２】
図２０と図２３が示すように、ハウジング３００の両左右側壁にはさらに一対の弾性アーム溝３０７を形成させる。一対の弾性アーム溝３０７は金属外側電導性シート５０１の弾性アーム８０１、８０２の収納用である。一対の弾性アーム溝３０７が内縁開口部３０２に向いて延伸した方向に、その末端に有する一対の溝通路（図示せず）はハウジング３００の内部まで貫通する。これにより弾性アーム８０１、８０２の一対の圧触部８０３が一対の弾性アーム溝３０７の溝通路（図示せず）によってハウジング３００の内部に延伸して対接コネクタと電気的接触する。
【００４３】
図２０と図２４が示すように、ハウジング３００の両上下側壁の外表面に形成した第一端子溝２３０及び第二端子溝２３５上方がそれぞれ互いに対称である一対の金属内側電導性シート５０２と金属内側電導性シート５０３が設置される。金属内側電導性シート５０２と金属内側電導性シート５０３が中央鏤空である。一つの側面には複数の抑制アーム５１２と複数の導接部５１６ａが形成される。抑制アーム５１２が金属内側電導性シート５０２と金属内側電導性シート５０３からハウジング３００の内部に向いて延伸かつ彎曲し、電気コネクタ１００内に挿入した対接コネクタ（図示せず）の導電ケースと電気的接触し、且つ導接部５１６ａが抑制アーム５１２と金属内側電導性シート５０３によりハウジング３００から離れる方向に向いて延伸し彎曲する。複数の抑制アーム５１２と複数の導接部５１６ａが金属内側電導性シート５０２と金属内側電導性シート５０３にも直線に間隔を置いて排列されている。即ち、各金属内側電導性シート５０３が二つの抑制アーム５１２毎の間に設置されている。また、金属内側電導性シート５０２と金属内側電導性シート５０３がさらに他の三側面に設置されている導電シート５１８を含む。導電シート５１８も金属内側電導性シート５０２と金属内側電導性シート５０３によりハウジング３００から離れる方向に向いて彎曲することで形成される。注意すべくは、金属内側電導性シート５０２と金属内側電導性シート５０３の複数の抑制アーム５１２、導接部５１６ａ及び導電シート５１８の全てが一体成形である。
【００４４】
図２０と図２４が示すように、本実施形態では、金属内側電導性シート５０２と金属内側電導性シート５０３の複数の抑制アーム５１２がハウジング３００内部に延伸した後、さらにハウジング３００の複数の貫通孔３１３ａの方向に彎曲し、逆鉤状に形成される。注意すべくは、ハウジング３００の内縁開口部３０２から見る時、複数の抑制アーム５１２の末端が少しハウジング３００の内表面より低くしている（図２７に示した）。但し、これにより本考案の範囲を制限するものではない。
【００４５】
図２０と図２４が示すように、ハウジング３００の全体構型の対角線処に、即ち両左右側面と両上下側壁の隣接位置に更に一対の段差３１３が形成される。段差３１３が金属内側電導性シート５０２と金属内側電導性シート５０３の両左右彎曲側辺と同じ輪郭形状を有し、且つ金属内側電導性シート５０２と金属内側電導性シート５０３の両左右彎曲側辺をそれぞれ一対の段差３１３の中に配置されている。注意すべくは、段差３１３の凹み深さが金属内側電導性シート５０２と金属内側電導性シート５０３の厚み以上である。金属内側電導性シート５０２と金属内側電導性シート５０３がそれぞれ対応する段差３１３に配置する時、互いの間の接合箇所が同一平面上であることが好ましい。
【００４６】
図２１と図２５が示すように、座体アセンブリ３２３が複数の端子セット２００、ハウジング３００及び金属内側電導性シート５０２、５０３を互いに接合すると、共同で金属ケース４０１に内設され、且つハウジング３００の金属内側電導性シート５０２の外周囲が金属ケース４０１の外縁開口部４０２又は後側外縁開口部４０４の内周囲より大きい故、金属ケース４０１が外縁開口部４０２から座体アセンブリ３２３のハウジング３００の後側内縁開口部３０２ａを設置した方向に向いて内設される。内設した後、金属ケース４０１が緊密に金属内側電導性シート５０２、金属内側電導性シート５０３とハウジング３００に接触する側壁を包覆し、これにより金属内側電導性シート５０２、５０３が複数の導接部５１６ａ及び導電シート５１８によって金属ケース４０１の上下内壁と接触する（図２６を参照）。
【００４７】
図２０と図２５が示すように、内設された金属ケース４０１の脱落又は移動を防ぐため、金属ケース４０１に少なくとも一つの突起ブロック（切口を替えでもよい）４０３が設置され、また座体アセンブリ３２３と対応する位置に少なくとも一つの突起ブロック（切口を替えでもよい）４０３が設置される。組み合わせた後、突起ブロック（切口を替えてもよい）４０３が切口（突起ブロックを替えてもよい）３１５内に結合することで後退防止の機能を発揮する。
【００４８】
以上の内容を総合して説明すると、本考案に係る電気コネクタの上記各部材の設計を利用することにより、ＵＳＢ３．１の技術規格に符合するだけでなく、コネクタ全体の構造をさらに薄型化することができ、且つより良い構造強度が保持できると共に長い使用寿命を提供することができる。
【００４９】
なお、以上は本考案の一実施形態の説明に過ぎず、本考案の請求範囲を限定するものではなく、本考案の明細書及び図面の内容に基づきなし得る簡易な修飾及び同じ効果を達成できる構造変化は、いずれも本考案の請求範囲内に属する。
【符号の説明】
【００５０】
Ｓ・・・対接コネクタ、
Ｔ・・・対応端子、
１００・・・電気コネクタ、
１０１・・・前端面、
１０２・・・後端面、
１０３・・・中身部、
２００ａ・・・第一端子セット、
２００ｂ・・・第一端子、
２００ｃ・・・第二端子セット、
２００ｄ・・・第二端子、
２０１・・・接触部、
２０１ａ・・・第一接触部、
２０１ｂ・・・第二接触部、
２０２・・・連結部、
２０２ａ・・・第一連結部、
２０２ｂ・・・第二連結部、
２０３・・・端子本体、
２０４・・・傾斜面、
２０５・・・止退部、
２０６・・・弾性部、
３００・・・ハウジング、
３０１・・・後側座部、
３０２・・・内縁開口部、
３０２ａ・・・後側内縁開口部、
３０３・・・第一端子溝、
３０３ａ・・・第一端子溝通路、
３０３ｂ・・・第二端子溝通路、
３０４・・・深部、
３０５・・・第二端子溝、
３０６・・・溝通路、
３０７・・・弾性アーム溝、
３０８・・・第一壁面、
３０９・・・外側電導性シート溝、
３１０・・・内側電導性シート溝、
３１１・・・第一支持部、
３１２・・・第二支持部、
３１３・・・段差、
３１４・・・位置決め溝、
３１５・・・突起ブロック、
３１６・・・縁部、
３１７・・・斜溝、
３１８・・・内側、
３１９・・・凹部、
３２０・・・突出部、
３２１・・・凹み、
３２２・・・第二壁面、
３２３・・・座体アセンブリ、
３３０・・・係止溝、
３３０ａ・・・第二突起区、
３３０ｂ・・・第二凹み区、
３３１・・・連結部材、
３３２・・・連結凸部、
３３３・・・連結凹部、
３３４・・・第一係止部、
３３４ａ・・・第一突起区、
３３４ｂ・・・第一凹み区、
３３５・・・対応連結部材、
３３６・・・対応連結凹部、
３３７・・・対応連結凸部、
３３８・・・第二係止部、
４００・・・遮蔽アセンブリ、
４０１・・・金属ケース、
４０２・・・外縁開口部、
４０３・・・切口、
４０４・・・後側外縁開口部、
５０１・・・金属外側電導性シート、
５０１ａ・・・外側電導性シート主体、
５０２・・・金属内側電導性シート、
５０３・・・金属内側電導性シート、
５０３ａ・・・第一端子溝通路、
５０３ｂ・・・第二端子溝通路、
５０４・・・導電端、
５０５・・・環状本体、
５０６・・・第一接触端、
５０７・・・第二接触端、
５０８・・・湾曲、
５０９・・・孔、
５１０・・・開口、
５１１・・・溝状開口、
５１２・・・抑制アーム、
５１３・・・折部、
５１４・・・抑制接面、
５１５・・・突出部、
５１６・・・凹穴、
５１６ａ・・・導接部、
５１７・・・位置決めシート、
５１８・・・導電シート、
５１９・・・掘り孔、
８０１・・・弾性アーム、
８０２・・・弾性アーム、
８０３・・・圧触部、
８０４・・・係止部、
９００・・・ケーブルアセンブリ。
【図１】
0003198932.tif 000003
【図２】
0003198932.tif 000004
【図３】
0003198932.tif 000005
【図４】
0003198932.tif 000006
【図５】
0003198932.tif 000007
【図６】
0003198932.tif 000008
【図７】
0003198932.tif 000009
【図８】
0003198932.tif 000010
【図９】
0003198932.tif 000011
【図１０】
0003198932.tif 000012
【図１１】
0003198932.tif 000013
【図１２】
0003198932.tif 000014
【図１３】
0003198932.tif 000015
【図１４】
0003198932.tif 000016
【図１５】
0003198932.tif 000017
【図１６】
0003198932.tif 000018
【図１７】
0003198932.tif 000019
【図１８】
0003198932.tif 000020
【図１９】
0003198932.tif 000021
【図２０】
0003198932.tif 000022
【図２１】
0003198932.tif 000023
【図２２】
0003198932.tif 000024
【図２３】
0003198932.tif 000025
【図２４】
0003198932.tif 000026
【図２５】
0003198932.tif 000027
【図２６】
0003198932.tif 000028
【図２７】
0003198932.tif 000029